(57)【要約】      （修正有）【課題】展示、催事などに際し、支柱台座に取り付けた縦型テレビの複数個を１２０度、１８０度の半角柱状態、３６０度の角柱状態、屏風状態、直線状態等に設置する場合の作業をしやすくすると共に設置後の体裁を良くし、且つ設置後の安定性に優れ、不用意にずれにくい支柱台座を提供する。【解決手段】台座本体を六角形状として六面の衝当面を形成すると共に、一対角線状の頂点部分を互いに平行に切り落として補助衝当面とし、この補助衝当面間の距離を、取付ける縦型テレビ幅と略等しくすると共に、この補助衝当面の奥行きを、取り付ける縦型テレビの厚さと略等しい距離とし、台座本体に立設した支柱に固定した取付板の前側位置で補助衝当面間の中央位置に対応するように縦型テレビを取付自在とした薄型テレビ用の支柱台座である。【選択図】図１
0003160589.tif 000002
【実用新案登録請求の範囲】
【請求項１】
台座本体を六角形状として六面の衝当面を形成すると共に、一対角線状の頂点部分を互いに平行に切り落として補助衝当面とし、この補助衝当面間の距離を、取付ける縦型テレビ幅と略等しくすると共に、この補助衝当面の奥行きを、取り付ける縦型テレビの厚さと略等しい距離とし、台座本体に立設した支柱に固定した取付板の前側位置で補助衝当面間の中央位置に対応するように縦型テレビを取付自在とした薄型テレビ用の支柱台座である。
【考案の詳細な説明】
【技術分野】
【０００１】
本考案は、催事や商品展示等に使用するテレビの支柱台座に関する。
【背景技術】
【０００２】
催事、展示などに使用するテレビの支柱台座は、四角形とか円盤状等の台座に支柱を立て、この支柱にテレビを取り付け、催事の案内、商品展示等をしているのが一般的である。然しこれらは単独のテレビで普通に見るのであれば十分であるが、人間の出入の多い催事とか展示会場等では、入場者が歩きながらテレビの映像を見るようになるため、一瞬にして映像の場面を通り過ぎることになり、映像場面の記憶が余り残らなくなる恐れがある。そこで展示用のテレビを複数個並設して複数回映像を見られるようにすることが考えられる。
【０００３】
四角形の台座の場合は、テレビを直線状態に設置する場合はそれほど不便を感じないが、テレビ映像を前後左右から見られるように１２０度、１８０度、３６０度などの半角柱状態・角柱状態に設置するような場合とか、屏風状態に並設する場合には、台座が四角形とか円盤状では設置作業がし難くいばかりか、隣接する台座間が離れたりして体裁が悪いばかりか、安定も悪く、不用意にずれ動いたりする恐れがある。
【考案の概要】
【考案が解決しようとする課題】
【０００４】
そこで本考案では、催事、展示などに際し、支柱台座に取り付けた縦型テレビの複数個を１２０度、１８０度の半角柱状態、３６０度の角柱状態、屏風状態、直線状態等に設置する場合の作業をしやすくすると共に設置後の体裁を良くし、且つ設置後の安定性に優れ、不用意にずれ動きにくい支柱台座を提供しようとするものである。勿論単独の横型、縦型テレビの支柱台座としても使用できる。
【課題を解決するための手段】
【０００５】
台座本体を六角形状として六面の衝当面を形成すると共に、一対角線状の頂点部分を互いに平行に切り落として補助衝当面とし、この補助衝当面間の距離を、取付ける縦型テレビ幅と略等しくすると共に、この補助衝当面の奥行きを、取り付ける縦型テレビの厚さと略等しい距離とし、台座本体に立設した支柱に固定した取付板の前側位置で補助衝当面間の中央位置に対応するように縦型テレビを取付自在とした薄型テレビ用の支柱台座である。
【考案の効果】
【０００６】
複数の支柱台座の各々に取付けた縦型テレビを１２０度、１８０度の半角柱状態、３６０度の角柱状態、屏風状態に設置する場合に、隣接する互いの支柱台座の衝当面を突き合わせながら並べていくことができるので設置作業がしやすく且つ体裁よく設置でき、直線状態に並べる場合は隣接する互いの補助衝当面を突き合わせれば良く、又設置後の安定性に優れ、不用意にずれ動きにくい。勿論単独の横型、縦型テレビの支柱台座としても使用できる。
【図面の簡単な説明】
【０００７】
【図１】本案に係る薄型テレビ用支柱台座の平面説明図。
【図２】同正面説明図。
【図３】同側面説明図。
【図４】薄型の縦型テレビを１８０度の半角柱状態に設置した場合の平面説明図。
【図５】同３６０度の角柱状態に設置した場合の平面説明図。
【図６】１２０度に屈曲させて屏風状に設置した場合の平面説明図。
【実施例】
【０００８】
台座本体１を六角形状として六面の衝当面２，２‥を形成すると共に、一対角線状の頂点部分を互いに平行に切り落として補助衝当面３，３とし、この補助衝当面３，３間の距離を、取付ける薄型で縦型のテレビ４(斜線部分。)幅と略等しくすると共に、この補助衝当面３，３の奥行きを取付ける縦型テレビ４の厚さと略等しくし、この台座本体１に一対の支柱５，５を立設し、支柱５，５の前側位置で補助衝当面３，３間の中央位置３’に縦型テレビ４を取付自在とした薄型テレビ用の支柱台座である。
【０００９】
図中６，６‥はキャスター、７はアジャスター、８は台座本体に固定した据付金具、９は連結金具でこの連結金具９は台座本体１，１の設置状態に応じ、例えば直線状態設置用、屏風状態設置用、角柱状態設置用などに対応できるようになっている。１０は支柱５，５間に架設した取付板で所要箇所に取付穴１１，１１…が設けてあって、縦型テレビ４の裏側に設けてある取付位置(図示せず。)に対応するようになっている。図中１２は台座本体１を連結した際の空白部を埋める化粧ベースである。
【００１０】
本案は以上のようになるものであるが、これを設置する場合は、先ず支柱５，５間の取付板１０に縦型テレビ４を固定し直線状態に並べ置く場合は図１のように補助衝当面３，３を突き合わせて連結金具９で固定する。図３、図４、図５のように１２０，１８０度等の半角柱状態、１２０度に屈曲する屏風状態に設置する場合は互いの対応する衝当面２，２を突き合わせ連結する。
【符号の説明】
【００１１】
１：台座本体
２，２‥：衝当面
３、３：補助衝当面
３’:中央位置
４：テレビ
５：支柱
６:キャスター
７：アジャスター
８：据付金具
９：連結金具
１０:取付板
１１:取付穴
１２:化粧ベース
【図２】
0003160589.tif 000003
【図４】
0003160589.tif 000004
【図１】
0003160589.tif 000005
【図３】
0003160589.tif 000006
【図５】
0003160589.tif 000007
【図６】
0003160589.tif 000008
【手続補正書】
【提出日】平成22年4月26日(2010.4.26)
【手続補正１】
【補正対象書類名】明細書
【補正対象項目名】全文
【補正方法】変更
【補正の内容】
【考案の詳細な説明】
【技術分野】
【０００１】
本考案は、催事や商品展示等に使用するテレビの支柱台座に関する。
【背景技術】
【０００２】
催事、展示などに使用するテレビの支柱台座は、四角形とか円盤状等の台座に支柱を立て、この支柱にテレビを取り付け、催事の案内、商品展示等をしているのが一般的である。然しこれらは単独のテレビで普通に見るのであれば十分であるが、人間の出入の多い催事とか展示会場等では、入場者が歩きながらテレビの映像を見るようになるため、一瞬にして映像の場面を通り過ぎることになり、映像場面の記憶が余り残らなくなる恐れがある。そこで展示用のテレビを複数個並設して複数回映像を見られるようにすることが考えられる。
【０００３】
四角形の台座の場合は、テレビを直線状態に設置する場合はそれほど不便を感じないが、テレビ映像を前後左右から見られるように１２０度、１８０度、３６０度などの半角柱状態・角柱状態に設置するような場合とか、屏風状態に並設する場合には、台座が四角形とか円盤状では設置作業がし難くいばかりか、隣接する台座間が離れたりして体裁が悪いばかりか、安定も悪く、不用意にずれ動いたりする恐れがある。
【考案の概要】
【考案が解決しようとする課題】
【０００４】
そこで本考案では、催事、展示などに際し、支柱台座に取り付けた縦型テレビの複数個を１２０度、１８０度の半角柱状態、３６０度の角柱状態、屏風状態、直線状態等に設置する場合の作業をしやすくすると共に設置後の体裁を良くし、且つ設置後の安定性に優れ、不用意にずれ動きにくい支柱台座を提供しようとするものである。勿論単独の横型、縦型テレビの支柱台座としても使用できる。
【課題を解決するための手段】
【０００５】
台座本体を六角形状として六面の衝当面を形成すると共に、一対角線状の頂点部分を互いに平行に切り落として補助衝当面とし、この補助衝当面間の距離を、取付ける当該縦型テレビ幅と略等しくすると共に、この補助衝当面の奥行きを、当該縦型テレビの厚さと略等しい距離とし、台座本体に立設した支柱に固定した取付板の前側位置で補助衝当面間の中央位置に対応するように当該縦型テレビを取付自在とした薄型テレビ用の支柱台座である。
【考案の効果】
【０００６】
複数の支柱台座の各々に取付けた縦型テレビを１２０度、１８０度の半角柱状態、３６０度の角柱状態、屏風状態に設置する場合に、隣接する互いの支柱台座の衝当面を突き合わせながら並べていくことができるので設置作業がしやすく且つ体裁よく設置でき、直線状態に並べる場合は隣接する互いの補助衝当面を突き合わせれば良く、又設置後の安定性に優れ、不用意にずれ動きにくい。勿論単独の横型、縦型テレビの支柱台座としても使用できる。
【図面の簡単な説明】
【０００７】
【図１】本案に係る薄型テレビ用支柱台座の平面説明図。
【図２】同正面説明図。
【図３】同側面説明図。
【図４】薄型の縦型テレビを１８０度の半角柱状態に設置した場合の平面説明図。
【図５】同３６０度の角柱状態に設置した場合の平面説明図。
【図６】１２０度に屈曲させて屏風状に設置した場合の平面説明図。
【実施例】
【０００８】
台座本体１を六角形状として六面の衝当面２，２‥を形成すると共に、一対角線状の頂点部分を互いに平行に切り落として補助衝当面３，３とし、この補助衝当面３，３間の距離を、取付ける薄型で縦型の当該テレビ４(斜線部分。)幅と略等しくすると共に、この補助衝当面３，３の奥行きを取付ける当該縦型テレビ４の厚さと略等しくし、この台座本体１に一対の支柱５，５を立設し、支柱５，５の前側位置で補助衝当面３，３間の中央位置３’に当該縦型テレビ４を取付自在とした薄型テレビ用の支柱台座である。
【０００９】
図中６，６‥はキャスター、７はアジャスター、８は台座本体に固定した据付金具、９は連結金具でこの連結金具９は台座本体１，１の設置状態に応じ、例えば直線状態設置用、屏風状態設置用、角柱状態設置用などに対応できるようになっている。１０は支柱５，５間に架設した取付板で所要箇所に取付穴１１，１１…が設けてあって、縦型テレビ４の裏側に設けてある取付位置(図示せず。)に対応するようになっている。図中１２は台座本体１を連結した際の空白部を埋める化粧ベースである。
【００１０】
本案は以上のようになるものであるが、これを設置する場合は、先ず支柱５，５間の取付板１０に当該縦型テレビ４を固定し直線状態に並べ置く場合は図１のように補助衝当面３，３を突き合わせて連結金具９で固定する。図３、図４、図５のように１２０，１８０度等の半角柱状態、１２０度に屈曲する屏風状態に設置する場合は互いの対応する衝当面２，２を突き合わせ連結する。
【符号の説明】
【００１１】
１：台座本体
２，２‥：衝当面
３、３：補助衝当面
３’:中央位置
４：テレビ
５：支柱
６:キャスター
７：アジャスター
８：据付金具
９：連結金具
１０:取付板
１１:取付穴
１２:化粧ベース
【手続補正２】
【補正対象書類名】実用新案登録請求の範囲
【補正対象項目名】全文
【補正方法】変更
【補正の内容】
【実用新案登録請求の範囲】
【請求項１】
台座本体を六角形状として六面の衝当面を形成すると共に、一対角線状の頂点部分を互いに平行に切り落として補助衝当面とし、この補助衝当面間の距離を、取付ける当該縦型テレビ幅と略等しくすると共に、この補助衝当面の奥行きを、取り付ける当該縦型テレビの厚さと略等しい距離とし、台座本体に立設した支柱に固定した取付板の前側位置で補助衝当面間の中央位置に対応するように当該縦型テレビを取付自在とした薄型テレビ用の支柱台座。